(57)【要約】      （修正有）【課題】木造の構造物での軸組構造の梁材と縦柱材との間隔に応じて、梁材と縦柱材を連結することができる筋交いフレームを提供する。【解決手段】筋交いフレーム１０は、平行に配置される一対の縦柱材１１、１２間に、斜め下向きの上部筋交い材１３および斜め上向きの下部筋交い材１４が固定され、縦柱材１２と上部筋交い材１３の間に上部横桟材１５が固定され、縦柱材１２と下部筋交い材１４の間に下部横桟材１６が固定され、一対の縦柱材１１、１２が、その上端部の上方に配置される板状の固定部材２０と固定部材２０に一体に設けられるおねじ２１とを有し、一対の縦柱材１１、１２の天板に、おねじ２１にねじ締結するめねじ１９が設けられている。【選択図】図１
0003232904.tif 000002
【実用新案登録請求の範囲】
【請求項１】
平行に配置される一対の縦柱材（１１、１２）と、
前記一対の縦柱材（１１、１２）間に配置され、一方の前記縦柱材（１１）の上端部に一端部を固定した斜め下向きの上部筋交い材（１３）および一方の前記縦柱材（１１）の下端部に一端部を固定した斜め上向きの下部筋交い材（１４）とを有し、
前記上部筋交い材（１３）および下部筋交い材（１４）の他端部が他方の前記縦柱材（１２）の長さ方向中央部に固定されている筋交いフレームにおいて、
前記一対の縦柱材（１１、１２）が、その上端部の上方に配置される固定部材（２０）と前記固定部材（２０）に一体に設けられ、下方へ延びるおねじ（２１）とを有し、前記固定部材（２０）が上方を向く平坦な固定面（２０ａ）を有し、前記一対の縦柱材（１１、１２）の上端部に前記おねじ（２１）にねじ締結するめねじ（１９）が設けられていることを特徴とする筋交いフレーム。
【請求項２】
前記固定部材（２０）が板状をなしており、前記固定部材（２０）の上方を向く表面が前記固定面（２０ａ）となることを特徴とする請求項１に記載の筋交いフレーム。
【請求項３】
前記一対の縦柱材（１１、１２）が矩形の断面形状を有する角筒状部材から形成され、前記固定部材（２０）が、前記縦柱材の断面形状と同じ矩形をなす基板部（２２）と、前記基板部（２２）から前記縦柱材の筒軸に対して直角に延び出す一対の突出板部（２３）を有し、前記一対の突出板部（２３）が前記基板部（２２）に対して相互に直角に配置されていることを特徴とする請求項２に記載の筋交いフレーム。
【請求項４】
他方の前記縦柱材（１２）と前記上部筋交い材（１３）との間に固定される上部横桟材（１５）と、他方の前記縦柱材（１２）と前記下部筋交い材（１４）との間に固定される下部横桟材（１６）とを有し、前記上部横桟材（１５）と前記下部横桟材（１６）とが相互に平行に配置されていることを特徴とする請求項１〜３のいずれか１項に記載の筋交いフレーム。
【考案の詳細な説明】
【技術分野】
【０００１】
この考案は、構造物の構築に用いられるＫ字型の筋交いフレームに関する。
【背景技術】
【０００２】
鉄骨を用いた構造物の構造の一つとして、基礎の上に土台を設置し、この土台のコーナー部分に起立状態に設けた隅柱間の上部に梁材をかけ渡し、上下に対向する土台と梁材の間や、梁材と梁材との間に筋交いフレームを配置すると共に、必要に応じて中間柱を起立状態に設けて構築した軸組構造があり、この軸組構造の上に屋根組を設けるようにするものが知られている。
【０００３】
上記のような軸組構造において用いられる筋交いフレームは、平行する両側一対の鋼管製の縦柱材と、両側の縦柱材を互いに結合する鋼管製の筋交い材とからなる。筋交い材は一方の縦柱材の上端部に固定した斜め下向きの上部筋交い材と、一方の縦柱材の下端部に固定した斜め上向きの下部筋交い材とを有する。上部筋交い材と下部筋交い材の集合端部が、他方の縦柱材の上下方向中間部に溶接されることにより、正面から見てＫ字形に組立てられている。この筋交いフレームを両側の縦柱材が垂直になるよう上下に対向する土台と梁材との間や梁材と梁材との間に建て込むことにより、軸組構造の剛性を保つようになっている（例えば、特許文献１参照）。
【先行技術文献】
【特許文献】
【０００４】
【特許文献１】特開２０００−２９１１３９号公報
【考案の概要】
【考案が解決しようとする課題】
【０００５】
ところで、鉄骨を用いた構造物では、上記の筋交いフレームの両側の縦柱材と梁材との間に間隔がある場合には、梁材との間に所要長さのＨ型鋼を介在させて、梁材と縦柱材とを連結することが可能である。しかしながら、一般に梁材が木材である木造住宅では、上記の筋交いフレームの両側の縦柱材と梁材との間に間隔がある場合には、所要長さのＨ型鋼を介在させて、梁材と縦柱材とを連結することが難しい。
【０００６】
また、木造住宅や木造の店舗などは、鉄骨を用いた構造物よりも木材の長さや組み合わせによって柔軟な設計が可能であり、間取りや天井高さの自由度が高い。このため、上記の筋交いフレームの両側の縦柱材と梁材との間隔は様々な大きさとなり、上述のＨ型鋼の長さを変更して対応することが難しい。
【０００７】
そこで、この考案が解決しようとする課題は、木造の構造物での軸組構造の梁材と縦柱材との間隔に応じて、梁材と縦柱材を連結することができる筋交いフレームを提供することにある。
【課題を解決するための手段】
【０００８】
前記の課題を解決するために、この考案に係る筋交いフレームとしては、
平行に配置される一対の縦柱材と、前記一対の縦柱材間に配置され、一方の前記縦柱材の上端部に一端部を固定した斜め下向きの上部筋交い材および一方の前記縦柱材の下端部に一端部を固定した斜め上向きの下部筋交い材とを有し、前記上部筋交い材および下部筋交い材の他端部が他方の前記縦柱材の長さ方向中央部に固定されている筋交いフレームにおいて、前記一対の縦柱材が、その上端部の上方に配置される固定部材と前記固定部材に一体に設けられ、下方へ延びるおねじとを有し、前記固定部材が上方を向く平坦な固定面を有し、前記一対の縦柱材の上端部に前記おねじにねじ締結するめねじが設けられている構成を採用することができる。
【０００９】
この構成では、固定部材を回転させることにより、固定部材の固定面と縦柱材の上端部との間隔を調整することができる。このため、木造の軸組構造での梁材と一対の縦柱材の上端部との間隔に応じて、固定部材を回転して、固定部材の上下方向の位置を調節し、固定面を梁材に接する状態にすることができる。
【００１０】
前記固定部材が板状をなしており、前記固定部材の上方を向く表面が前記固定面となる構成を採用することができる。固定部材が板状をなすことで、固定部材の固定面と一対の縦柱材の上端部との距離をより小さくすることができる。このため、軸組構造の木造の構造物での梁材と一対の縦柱材の上端部との間隔が小さい場合であっても、固定部材を梁材に固定することができる。
【００１１】
また、前記一対の縦柱材が矩形の断面形状を有する角筒状部材から形成され、前記固定部材が、前記縦柱材の断面形状と同じ矩形をなす基板部と、前記基板部から前記縦柱材の筒軸に対して直角に延び出す一対の突出板部を有し、前記一対の突出板部が前記基板部に対して相互に直角に配置されている構成を採用することができる。
【００１２】
この構成では、木造の軸組構造の構造物における角部分に縦柱材が配置されている状態で、固定部材の突出板部は当該角部分に直角に配置される二本の梁材に沿って固定され得る。
【００１３】
また、筋交いフレームの剛性を向上させる目的で、他方の前記縦柱材と前記上部筋交い材との間に固定される上部横桟材と、他方の前記縦柱材と前記下部筋交い材との間に固定される下部横桟材とを有し、前記上部横桟材と前記下部横桟材とが相互に平行に配置されている構成を採用してもよい。
【考案の効果】
【００１４】
以上のように、この考案に係る筋交いフレームは、固定部材を回転することにより、固定部材の上下方向の位置を調整することができるので、軸組構造の木造の構造物での梁材の上下方向の位置に応じて、固定部材の固定面を梁材に接触させ、その梁材に固定部材を固定することができる。
【図面の簡単な説明】
【００１５】
【図１】この考案の実施形態に係る筋交いフレームの斜視図
【図２】同上の筋交いフレームの固定部材を示す一部切り欠き斜視図
【図３】同上の筋交いフレームの固定部材を示す一部切り欠き正面図
【図４】同上の筋交いフレームの使用状態を示す正面図
【図５】同上の筋交いフレームの固定部材と梁材との固定状態を示す説明図
【図６】同上の筋交いフレームの固定部材の他の形態を示す一部切り欠き斜視図
【図７】図６に示す固定部材を示す平面図
【図８】図６に示す筋交いフレームの使用状態を示す正面図
【考案を実施するための形態】
【００１６】
以下、この考案の実施形態に係る筋交いフレームを図面に基づいて説明する。図１から図５に示すように、この実施形態に係る筋交いフレーム１０は、主に軸組構造の木造の構造物の構築に用いられている。木造の構造物としては、基礎１の上に土台２を設置し、土台２のコーナー部分に起立状態に設けた隅柱３間の上部に梁材４をかけ渡し、上下に対向する土台２と梁材４の間や、梁材４とさらに上方に架け渡される梁材（図示省略）との間に筋交いフレーム１０を配置すると共に、必要に応じて中間柱を起立状態に設けて構築される。なお、明細書中において、「左右（左右方向）」とは、筋交いフレーム１０に正対している状態での「左右（左右方向）」を意味する。また、「前後方向」とは、筋交いフレーム１０に正対している状態での「前後方向」を意味する。
【００１７】
相互に平行に配置される一対の縦柱材１１、１２と、一対の縦柱材１１、１２間に配置され、縦柱材１１の上端部に一端部を固定した斜め下向きの上部筋交い材１３および縦柱材１１の下端部に一端部を固定した斜め上向きの下部筋交い材１４と、縦柱材１２と上部筋交い材１３との間に固定される上部横桟材１５と、縦柱材１２と下部筋交い材１４との間に固定される下部横桟材１６とを有し、上部筋交い材１３および下部筋交い材１４の他端部が縦柱材１２の長さ方向中央部に固定されている。
【００１８】
縦柱材１１は、正方形の断面形状を有する角筒状の鋼管から構成されている。縦柱材１１の下端部にベース板１７が溶接により固定されている。ベース板１７は、縦柱材１１の前後方向の幅寸法と同じ幅寸法を有する矩形の板状部材からなる。ベース板１７は、縦柱材１１の開口を閉塞しており、縦柱材１１から左右方向両方向へ突き出す状態となっている。ベース板１７の左右方向両方向外側に上下方向の貫通孔１７ａが設けられている。図２、図３に示すように、縦柱材１１の上端部は、天板１８により閉塞されている。天板１８の下面には、めねじ１９が固定されている。めねじ１９に対して、後述するおねじであるボルト２１が天板１８を貫通する状態でねじ締結される。
【００１９】
縦柱材１１は、上端部の上方に配置される固定部材２０と、固定部材２０から下方に延びるおねじであるボルト２１とを有する。固定部材２０は、縦柱材１１の前後方向の幅寸法と同じ幅寸法を有する矩形の板状をなしている。固定部材２０は、縦柱材１１の左右方向両方向外側に突き出す状態となっている。固定部材２０の左右方向両方向外側に上下方向の貫通孔２０ｂが設けられている。
【００２０】
固定部材２０の上面は、上述の梁材４に面接触する固定面２０ａとなっている。固定部材２０の下面中央にボルト２１の頭部が一体に設けられ、ボルト２１のねじ部が下方に延びる状態となっている。ボルト２１は、縦柱材１１の天板１８を貫通して、めねじ１９にねじ締結している。また、縦柱材１２は、縦柱材１１と同じ構造であり、縦柱材１１と同じ構造には、縦柱材１１と同じ符号を付して、その説明を省略する。
【００２１】
上部筋交い材１３および下部筋交い材１４は、同じ大きさの矩形の断面形状を有する角筒状の鋼管から構成されている。上部筋交い材１３および下部筋交い材１４は、縦柱材１１よりも小さい前後方向および左右方向の幅寸法を有する。上部筋交い材１３および下部筋交い材１４はその両端部が斜めに切断されており、その両端部の切断面が相互に平行となっている。
【００２２】
上部筋交い材１３の一端部が縦柱材１１の上端部の左右方向内側に固定されている。上部筋交い材１３の他端部が縦柱材１２の長さ方向中央部の左右方向内側に固定されている。下部筋交い材１４の一端部が縦柱材１１の下端部の左右方向内側に固定されている。下部筋交い材１４の他端部が縦柱材１２の長さ方向中央部の左右方向内側に固定されている。
【００２３】
上部横桟材１５および下部横桟材１６は、上部筋交い材１３と同じ大きさの矩形の断面形状を有する角筒状の鋼管から構成されている。上部横桟材１５および下部横桟材１６は、縦柱材１１側の端部が斜めに切断されているものである。上部横桟材１５および下部横桟材１６の切断面は、縦柱材１１の左右方向内側面に対向している。
【００２４】
この考案に係る筋交いフレーム１０は、以上のように構成されている。次に、この筋交いフレーム１０の軸組構造の木造の構造物への設置方法を説明する。まず、筋交いフレーム１０は、一対の縦柱材１１、１２のそれぞれの固定部材２０を回転させ、固定部材２０を一対の縦柱材１１、１２の天板１８に接近させた状態とする。続いて、図４に示すように、筋交いフレーム１０を、基礎１上に設けた土台２と、隅柱３の上部に架け渡した梁材４との間に起立状態となるように建て込む。その後、一対の縦柱材１１、１２の平行度を調整した状態で、一対の縦柱材１１、１２のそれぞれの固定部材２０を回転させ、固定部材２０を上昇させ、梁材４に固定面２０ａを接触させる。この接触状態で、一対の縦柱材１１、１２のベース板１７と土台２とをボルトおよびナットにより締結する。また、図５に示すように、一対の縦柱材１１、１２の固定部材２０と、梁材４とをボルトおよびナットからなる締結具３０により締結する。以上のようにして、軸組構造の木造の構造物の土台２と梁材４との間に筋交いフレーム１０が設置される。
【００２５】
この筋交いフレーム１０は、一対の縦柱材１１、１２の上端部に固定部材２０が設けられている。この固定部材２０に設けられた下方へ延びるおねじ２１が、一対の縦柱材１１、１２の天板１８に設けられるめねじ１９にねじ締結している。このため、固定部材２０を回転させることにより、固定部材２０の固定面２０ａと、縦柱材１１（縦柱材１２）の天板１８との間隔を調整することができる。この筋交いフレーム１０を、基礎１上に設けた土台２と、隅柱３の上部に架け渡した梁材４との間に起立状態となるように建て込む際、梁材４と固定部材２０の固定面２０ａとの間にすき間が存在する場合がある。ここで、特に、木造住宅や木造の店舗などは、木材の長さや組み合わせによる柔軟な設計が可能であり、間取りや天井高さの自由度が高いので、梁材４と固定部材２０の固定面２０ａとの間にすき間が存在する。
【００２６】
この実施形態の筋交いフレーム１０は、梁材４と固定部材２０の固定面２０ａとの間にすき間が存在する場合であっても、一対の縦柱材１１、１２の固定部材２０を回転させて、梁材４と固定部材２０の固定面２０ａとの間隔を調整することができる。
【００２７】
また、筋交いフレーム１０の固定部材２０が板状をなしている。固定部材２０が板状であれば、固定部材２０の固定面２０ａと一対の縦柱材１１、１２の天板１８との距離をさらに小さくすることができる。これにより、図４に示す軸組構造の木造の構造物での梁材４と一対の縦柱材１１、１２の天板１８との間隔が小さい場合であっても、固定部材２０を梁材４に固定することができる。
【００２８】
上記実施形態では、図２に示すように、固定部材２０が縦柱材１１の前後方向の幅寸法と同じ幅寸法を有する矩形の板状をなしているものを例に挙げて説明したが、図６に示すように、固定部材２０は、縦柱材１１の断面形状と同じ正方形をなす基板部２２と、基板部２２から縦柱材１１の筒軸に対して直角に延び出す一対の突出板部２３、２３を有するものであってもよい。
【００２９】
図６に示す固定部材２０は、一対の突出板部２３、２３が基板部２２に対して相互に直角に配置されているものである。図７に示すように、一対の突出板部２３、２３は、それぞれ貫通孔２０ｂが形成されており、基板部２２の一辺の長さと同じ幅寸法を有している。図６に示す固定部材２０を有する筋交いフレーム１０を、例えば、軸組構造の木造の構造物において、土台２のコーナー部分に縦柱材１１が位置する状態で、土台２と梁材４との間に設置することができる（図８参照）。この場合、図７に示すように、筋交いフレーム１０の固定部材２０は、一対の突出板部２３、２３が、相互に直角に配置されている梁材４、４（図７中の二点鎖線参照）に沿うように配置される状態となる。このため、固定部材２０の基板部２２および一対の突出板部２３、２３が梁材４からの突出を防止することができる。
【符号の説明】
【００３０】
１  基礎
２  土台
３  隅柱
４  梁材
１０  筋交いフレーム
１１、１２  縦柱材
１３  上部筋交い材
１４  下部筋交い材
１５  上部横桟材
１６  下部横桟材
１７  ベース板
１８  天板
１９  めねじ
２０  固定部材
２０ａ  固定面
２１  ボルト（おねじ）
２２  基板部
２３  突出板部
３０  締結具
【図１】
0003232904.tif 000003
【図２】
0003232904.tif 000004
【図３】
0003232904.tif 000005
【図４】
0003232904.tif 000006
【図５】
0003232904.tif 000007
【図６】
0003232904.tif 000008
【図７】
0003232904.tif 000009
【図８】
0003232904.tif 000010